(57)【要約】【課題】内容物である錠剤をスライド方式を採用せずに取り出すことにより、錠剤に擦り傷が付くなどして、その錠剤の品質を劣化させてしまうことなく、しかも密閉性を良くして湿気による錠剤の品質劣化を防止した錠剤用容器を提供する。【解決手段】平面形状が円形の平坦な容器１に、平面形状が円形の平坦な蓋体１１を回動可能として嵌め込み、前記容器１の底板２と前記蓋体１１の天板１２の間に多数個の錠剤Ｔの収容空間Ｓを形成し、前記容器１の周壁３の近辺に案内壁４を形成して複数個の錠剤Ｔが入り込む領域５を、前記容器１の底板２に設けたものとすると共に、前記領域５における容器１の底板２に複数の取出し孔６を形成し、さらにこれら取出し孔６を下方から閉鎖したり開放したりする開閉体７を取り付けたものとし、前記蓋体１１の周壁１３の近辺にこの蓋体１１の回動操作によって、前記容器１の案内壁４に重なるようにした案内壁１４を形成している。【選択図】図１
2019051979.tif 000002
【特許請求の範囲】
【請求項１】
平面形状が円形の平坦な容器（１）に、平面形状が円形の平坦な蓋体（１１）を回動可能として嵌め込み、前記容器（１）の底板（２）と前記蓋体（１１）の天板（１２）の間に多数個の錠剤（Ｔ）の収容空間（Ｓ）を形成した錠剤用容器において、
前記容器（１）の周壁（３）の近辺に案内壁（４）を形成して複数個の錠剤（Ｔ）が入り込む領域（５）を、前記容器（１）の底板（２）に設けたものとすると共に、前記領域（５）における容器（１）の底板（２）に複数の取出し孔（６）を形成し、さらにこれら取出し孔（６）を下方から閉鎖したり開放したりする開閉体（７）を取り付けたものとし、
前記蓋体（１１）の周壁（１３）の近辺にこの蓋体（１１）の回動操作によって、前記容器（１）の案内壁（４）に重なるようにした案内壁（１４）を形成したことを特徴とする錠剤用容器。
【請求項２】
前記容器（１）の周壁（３）の外周に溝部（３ａ）を形成すると共に、前記蓋体（１１）の周壁（１３）の下部に嵌合部（１３ａ）を形成し、前記容器（１）に蓋体（１１）を嵌め込んだとき、この容器（１）の周壁（３）の溝部（３ａ）に、前記蓋体（１１）の周壁（１３）の嵌合部（１３）が嵌り込むようにしていることを特徴とする請求項１記載の錠剤用容器。
【請求項３】
前記収容空間（Ｓ）の高さ（Ｓｈ）を、この収容空間（Ｓ）に収容する錠剤（Ｔ）の高さ（Ｔｈ）より高くすると共に、その高さ（Ｔｈ）の二倍より低く形成したものとしていることを特徴とする請求項１記載の錠剤用容器。
【請求項４】
前記案内壁（４）の高さ（４ｈ）を、前記収容空間（Ｓ）に収容する錠剤（Ｔ）の高さ（Ｔｈ）の１／２以上の高さとし、前記案内壁（１４）の高さ（１４ｈ）を、前記収容空間（Ｓ）に収容する錠剤（Ｔ）の高さ（Ｔｈ）の１／２以上の高さとしていることを特徴とする請求項１〜３の何れかに記載の錠剤用容器。
【請求項５】
前記蓋体（１１）を前記回動操作と反対方向に回動操作することによって、この蓋体（１１）の案内壁（１４）が前記容器（１）の案内壁（４）に重ならないようにしていることを特徴とする請求項１記載の錠剤用容器。
【発明の詳細な説明】
【技術分野】
【０００１】
この発明は、医薬品、医薬部外品、サプリメント、菓子、調味料等の錠剤を収容し、収容したこれらの錠剤を定量ずつ取り出すことのできる錠剤用容器に関するものである。
【背景技術】
【０００２】
従来、このような錠剤用容器は、天面、側面、前面、後面及び底面を有する外箱と、この外箱に設けられた揚げ底と前記底面の間に形成された空洞部の間を移動するスライド箱の二つの部品からなるものとしている。そして、前記外箱の前面及び後面の両側下部には三角形状の切欠部が設けられ、これら切欠部から計量室を有するスライド箱が露出していて、この部分でスライド箱を操作できるようにしている（特許文献１）。
【０００３】
このように構成された錠剤用容器は、スライド箱を移動させ、外箱の切欠孔とスライド箱の計量室の開口の位置が一致したところで、外箱の本体に収容されていた内容物が計量室に流れこむか、あるいは落下するので、このスライド箱を移動させると前記上げ底と内容物が擦り切り状態で計量室内の分だけ分離され計量される。この状態で計量室から外部に排出することにより、所望の量が取り出せるとしている。
【０００４】
さらに、このような錠剤用容器には、取り出し口と操作口が開設され表蓋と裏蓋とを接合して形成された平坦な箱形のケース本体と、複数に区画された凹所からなる計量部を有し操作口に露出する操作部が設けられたスライド部材とから構成され、ケース本体内にスライド部材をスライド可能に装着しているものが存在する（特許文献２）。
【０００５】
このように構成された錠剤用容器は、スライド部材の計量部に区画された各凹所に錠剤を落とし込み、計量部の取り出し口からの出没量を規制して凹所を所望の数だけ出没させることにより、所望数の錠剤を確実に取り出すことができるとしている。
【先行技術文献】
【特許文献】
【０００６】
【特許文献１】特開平８−２０７９７２号公報
【特許文献２】特開平１１−１６５７７５号公報
【発明の概要】
【発明が解決しようとする課題】
【０００７】
しかしながら、特許文献１に示された錠剤用容器では、外箱にスライド箱をスライドさせるには、外箱とスライド箱との間に少しでも隙間がないとスライドさせることができないため最小限度の隙間を設けているが、この隙間から湿気が浸入することがあり、この湿気により錠剤の品質を劣化させてしまうことがあるという問題点を有していた。
【０００８】
また、特許文献１に示された錠剤用容器では、内容物が擦り切り状態で計量室内の分だけ分離され計量されるとしているので、内容物である錠剤の硬度が低い場合などには擦り傷が付くなどして、その錠剤の品質を劣化させてしまうことがあるという問題点を有していた。
【０００９】
さらに、特許文献２に示された錠剤用容器でも、ケース本体内にスライド部材をスライド可能に装着しているため、両者間には最小限度の隙間を設けており、特許文献１に示された錠剤用容器と同様に、湿気により錠剤の品質を劣化させてしまうことがあるという問題点を有していた。
【００１０】
また、特許文献２に示された錠剤用容器でも、スライド部材をスライドさせるため、ケース本体内の錠剤とスライド部材とが接触して、錠剤に擦り傷が付くなどして、この錠剤の品質を劣化させてしまうことがあるという問題点を有していた。
【００１１】
そこで、この発明は、上記従来の錠剤用容器が有する問題点を解決するものであり、内容物である錠剤をスライド方式を採用せずに取り出すことにより、錠剤に擦り傷が付くなどして、その錠剤の品質を劣化させてしまうことなく、しかも密閉性を良くして湿気による錠剤の品質劣化を防止した錠剤用容器を提供することを目的としてなされたものである。
【課題を解決するための手段】
【００１２】
そのため、この発明の錠剤用容器は、平面形状が円形の平坦な容器１に、平面形状が円形の平坦な蓋体１１を回動可能として嵌め込み、前記容器１の底板２と前記蓋体１１の天板１２の間に多数個の錠剤Ｔの収容空間Ｓを形成し、前記容器１の周壁３の近辺に案内壁４を形成して複数個の錠剤Ｔが入り込む領域５を、前記容器１の底板２に設けたものとすると共に、前記領域５における容器１の底板２に複数の取出し孔６を形成し、さらにこれら取出し孔６を下方から閉鎖したり開放したりする開閉体７を取り付けたものとし、前記蓋体１１の周壁１３の近辺にこの蓋体１１の回動操作によって、前記容器１の案内壁４に重なるようにした案内壁１４を形成している。
【００１３】
この発明の錠剤用容器において、前記容器１の周壁３の外周に溝部３ａを形成すると共に、前記蓋体１１の周壁１３の下部に嵌合部１３ａを形成し、前記容器１に蓋体１１を嵌め込んだとき、この容器１の周壁３の溝部３ａに、前記蓋体１１の周壁１３の嵌合部１３が嵌り込むようにしている。
【００１４】
この発明の錠剤用容器において、前記収容空間Ｓの高さＳｈを、この収容空間Ｓに収容する錠剤Ｔの高さＴｈより高くすると共に、その高さＴｈの二倍より低く形成したものとしている。
【００１５】
この発明の錠剤用容器において、前記案内壁４の高さ４ｈを、前記収容空間Ｓに収容する錠剤Ｔの高さＴｈの１／２以上の高さとし、前記案内壁１４の高さ１４ｈを、前記収容空間Ｓに収容する錠剤Ｔの高さＴｈの１／２以上の高さとしている。
【００１６】
この発明の錠剤用容器において、前記蓋体１１を前記回動操作と反対方向に回動操作することによって、この蓋体１１の案内壁１４が前記容器１の案内壁４に重ならないようにしている。
【発明の効果】
【００１７】
この発明の錠剤用容器は、以上に述べたように構成されているので、内容物である錠剤Ｔを開閉体７の開放により取り出すことにより、錠剤Ｔに擦り傷が付くなどして、その錠剤Ｔの品質を劣化させてしまうことなく、しかも容器１と蓋体１１との密閉性を良くして湿気による錠剤Ｔの品質劣化を防止することができる。
【図面の簡単な説明】
【００１８】
【図１】この発明の錠剤用容器の一実施形態の分解斜視図である。
【図２】この発明の錠剤用容器を構成する容器体の平面図である。
【図３】図２中のＡ−Ａによる容器体の断面図である。
【図４】この発明の錠剤用容器を構成する蓋体の底面図である。
【図５】図４中のＢ−Ｂによる蓋体の断面図である。
【図６】この発明の錠剤用容器の断面図である。
【図７】この発明の錠剤用容器に錠剤が収納されている状態を示す説明図である。
【図８】この発明の錠剤用容器から錠剤を取り出す状態を示す説明図である。
【発明を実施するための形態】
【００１９】
以下、この発明の錠剤用容器を実施するための形態を図面に基づいて詳細に説明する。
【００２０】
この発明の錠剤用容器は、図１〜６に示したように、平面形状が直径６０〜７０ｍｍ程度の円形で、高さ６〜１５ｍｍ程度の平坦な合成樹脂製の容器１に、平面形状が直径６０〜７０ｍｍ程度の円形で、高さ６〜１５ｍｍ程度の平坦な合成樹脂製の蓋体１１を回動可能として嵌め込み、前記容器１の底板２と前記蓋体１１の天板１２の間に多数個の錠剤Ｔの収容空間Ｓを形成したものとしている。前記容器１の周壁３の外周には、溝部３ａを形成すると共に、前記蓋体１１の周壁１３の下部には、嵌合部１３ａを形成し、前記容器１に蓋体１１を嵌め込んだとき、この容器１の周壁３の溝部３ａに、前記蓋体１１の周壁１３の嵌合部１３が嵌り込むようにして、両者の密閉状態を保持して、この錠剤用容器の全高が１０〜１５ｍｍ程度になるようにしている。
【００２１】
前記容器１の周壁３の近辺には、案内壁４を形成して複数個（図示したものでは四個）の錠剤Ｔが入り込む領域５を、前記容器１の底板２に設けたものとすると共に、前記領域５における容器１の底板２に複数の取出し孔６を形成し、さらにこれら取出し孔６を下方から閉鎖したり開放したりする開閉体７を取り付けたものとしている。また、前記容器１の周壁３の外周には、複数のリブ８を形成したものとして、この容器１を指で摘まみ易くしている。なお、前記案内壁４は、容器１の周壁３の近辺から容器１の中心方向に向かう直線部４ａに円弧部４ｂを連設したものとしているが、錠剤Ｔを案内可能な形状であればよい。さらに、前記案内壁４の高さ４ｈは、収容空間Ｓに収容する錠剤Ｔの高さＴｈの１／２以上の高さとしており、図示した実施形態では、２〜３ｍｍ程度になるようにしている。このようにすることにより、前記錠剤Ｔが、この案内壁４を乗り越えることなく、この案内壁４により錠剤Ｔはスムーズに案内される。
【００２２】
さらに、前記容器１の底板２は、上げ底にしており、前記蓋体１１の天板１２の間に形成される収容空間Ｓの高さＳｈを、この収容空間Ｓに収容する錠剤Ｔの高さＴｈより高くすると共に、その高さＴｈの二倍より低く形成したものとしている。好ましくは、収容空間Ｓの高さＳｈを、この収容空間Ｓに収容する錠剤Ｔの高さＴｈより少し高くしたものとしている。このようにすることにより、前記錠剤Ｔが上下に二個以上重ならないように収容空間Ｓに収容される。図示した実施形態では、収容空間Ｓの高さＳｈを５ｍｍとし、錠剤Ｔの高さＴｈを４. ５ｍｍにしている。なお、前記容器１の取出し孔６の下方周囲には、取出し孔６に入り込んだ錠剤Ｔを案内するための案内筒６ａを設けたものとしてもよく、この場合には前記開閉体７はこの案内筒６ａを下方から閉鎖したり開放したりするようにしている。
【００２３】
前記開閉体７は、帯状部９を介して容器１の周壁３と一体に成形することにより、容器３に回動自在として取り付けられ、容器１の取出し孔６を下方から閉鎖したり開放したりするようにしている。このように一体成形することにより、前記開閉体７は、容器１に簡単に取り付けることができるので、製造コストを抑えることができる。
【００２４】
前記蓋体１１の周壁１３の近辺には、この蓋体１１の回動操作によって、前記容器１の案内壁４に重なるようにした案内壁１４を形成して、複数個（図示したものでは四個）の錠剤Ｔが入り込む領域１５を、前記蓋体１１の天板１２に設けたものとしている。また、前記蓋体１１の周壁１３の外周には、複数のリブ１６を形成したものとして、この蓋体１１を指で摘まんで、回動操作をし易くしている。なお、前記案内壁１４は、蓋体１１の周壁１３の近辺から蓋体１１の中心方向に向かう直線部１４ａに円弧部１４ｂを連設したものとしているが、錠剤Ｔを案内可能な形状であればよい。さらに、前記案内壁１４の高さ１４ｈは、収容空間Ｓに収容する錠剤Ｔの高さＴｈの１／２以上の高さとしており、図示した実施形態では、３. ５〜４. ５ｍｍ程度になるようにしている。このようにすることにより、前記錠剤Ｔが、この案内壁１４を乗り越えることなく、この案内壁１４により錠剤Ｔはスムーズに案内される。そして、前記容器１の案内壁４と蓋体１１の案内壁１４が重なることにより、これら案内壁４と案内壁１４に案内されて、前記容器１の領域５に形成された取出し孔６に複数個（図示したものでは四個）の錠剤Ｔが入り込むようにしている。
【００２５】
さらに、前記蓋体１１を前記回動操作と反対方向に回動操作することによって、この蓋体１１の案内壁１４が前記容器１の領域５からずれて案内壁４に重ならないようにすることにより、前記領域５の取出し孔６に複数個の錠剤Ｔが入り込まないようにしている。なお、前記容器１の周壁３の内側には、突状体としたストッパー１０を設け、前記蓋体１１を前記回動操作と反対方向に回動操作したときに、この蓋体１１の案内壁１４がストッパー１０に当たって、前記容器１の領域５から必要以上にずれないようにしている。
【００２６】
この発明の錠剤用容器は、以上に述べたように構成されており、以下その使用方法について説明する。
【００２７】
先ず、図７に示したように、この発明の錠剤用容器の容器１内に多数個の錠剤Ｔを収容した状態にしておく。この状態では、容器１に蓋体１１が嵌め込まれており、容器１の取出し孔６が開閉体７により閉鎖されているので、収容空間Ｓの密閉性が良くなり、湿気による錠剤Ｔの品質劣化を防止することができる。
【００２８】
次に、図７に仮想線で示したように、この発明の錠剤用容器の蓋体１１の案内壁１４が、容器１の領域５からずれて案内壁４に重ならないようになっている状態から、蓋体１１を回動操作することによって、図７に実線で示したように、前記容器１の案内壁４に重なるようにする。そして、容器１を揺すったり傾けたりすると、収容空間Ｓに収容された多数の錠剤Ｔが移動して、容器１の領域５および蓋体１１の領域１５に案内され、複数個（図示したものでは四個）の錠剤Ｔが容器１の取出し孔６に入り込む。
【００２９】
そこで、前記蓋体１１を前記回動操作と反対方向に回動操作することによって、図７に仮想線で示した状態に戻す。そして、図８に仮想線で示したように、容器１の開閉体７を開放すれば、取出し孔６に入り込んだ複数個の錠剤Ｔが、この取出し孔６から落下するので、その錠剤Ｔを手の平で受け取ればよい。
【００３０】
このようにして、前記錠剤Ｔを取り出した後は、図８に実線で示したように、容器１の開閉体７を閉鎖しておけば、錠剤Ｔが取出し孔６から落下することなく、収容空間Ｓ内を密閉しておくことができる。
【００３１】
なお、前記蓋体１１を前記回動操作と反対方向に回動操作することなく、図７に実線で示したように、蓋体１１の案内壁１４を容器１の案内壁４に重なるようにしていると、複数個の錠剤Ｔを取り出した後に、容器１を揺すったり傾けたりすると、再び取出し孔６に複数個の錠剤Ｔが入り込むが、開閉体７を開放しない限り、この取出し孔６に入り込んだ複数個の錠剤Ｔは取出し孔６から落下することはない。
【００３２】
この発明の錠剤用容器は、以上に述べたように構成されているので、収容空間Ｓから錠剤Ｔを取り出す場合に、容器１を揺すったり傾けたりすると、収容空間Ｓ内の多数の錠剤Ｔが移動するが、多数の錠剤Ｔが収容空間Ｓ内で上になったり、下になったりして重なり合うことがないので、錠剤Ｔに擦り傷が付き難くなる。
【００３３】
よって、この発明の錠剤用容器は、容器１の収容空間Ｓ内の錠剤Ｔを開閉体７の開放により取り出すことにより、錠剤Ｔに擦り傷が付くなどして、その錠剤Ｔの品質を劣化させてしまうことなく、しかも容器１と蓋体１１との密閉性や、容器１と開閉体７との密閉性が良くなり、湿気等による錠剤の品質劣化を防止することができるものとなる。
【符号の説明】
【００３４】
１  容器
２  底板
３  周壁
３ａ  溝部
４  案内壁
５  領域
６  取出し孔
６ａ  案内筒
７  開閉体
１１  蓋体
１２  天板
１３  周壁
１３ａ  嵌合部
１４  案内壁
Ｓ  収容空間
Ｔ  錠剤
【図１】
2019051979.tif 000003
【図２】
2019051979.tif 000004
【図３】
2019051979.tif 000005
【図４】
2019051979.tif 000006
【図５】
2019051979.tif 000007
【図６】
2019051979.tif 000008
【図７】
2019051979.tif 000009
【図８】
2019051979.tif 000010